(57)【要約】      （修正有）【課題】外出先等の屋外においてバッジ型装飾体を紛失及び損傷させることなく保管可能であり、且つ、保管と同時にバッジ型装飾体の装飾表示面等のデザイン性を活かしたアクセサリーとしても活用し得る、軸付きバッジ型装飾体用の携帯型保持具を提供する。【解決手段】特定断面厚の軟性材質からなるシート状の支持部材であって、装飾体保持孔７を有する装飾体保持部材２と、装飾体保持部材２と連続した又は連結した部材であって、軟性材質からなるシート状の支持部材であり、装飾体の留め具端の接触保護が可能となる構造になるように備えられた保護部材３と、装飾体保持部材２と保護部材３とを脱着可能な状態で係合及び係止することを可能とする手段５ａ、５ｂと、及び、外部物品との固定用連結手段６と、を備えてなることを特徴とする。【選択図】図１
0003198646.tif 000002
【実用新案登録請求の範囲】
【請求項１】
軸付きバッジ型装飾体の装飾表示面及び／又は装飾表示形状が視認できるように保持可能な装飾体用の携帯型保持具であって、
（Ａ）（ａ１）断面の厚さ１〜５ｍｍの軟性材質からなるシート状の支持部材であり、（ａ２）前記装飾体の留め具軸を挿入可能であり且つ前記装飾体の留め具を用いて固定可能である装飾体保持孔を有する装飾体保持部材と、
（Ｂ）（ｂ１）前記（Ａ）に記載の部材と連続した又は連結した部材であって、軟性材質からなるシート状の支持部材であり、（ｂ２）前記装飾体の装飾表示面又は装飾形状が視認できる向きになるように前記装飾体の留め具軸を前記（Ａ）に記載の装飾体保持孔に挿入して固定した場合において、前記装飾体の留め具端の接触保護が可能となる構造になるように備えられた保護部材と、
（Ｃ）前記（Ａ）に記載の部材と、前記（Ｂ）に記載の部材と、を脱着可能な状態で係合及び係止することを可能とする手段と、及び、
（Ｄ）外部物品との固定用連結手段と、
を備えてなることを特徴とする、軸付きバッジ型装飾体用の携帯型保持具。
【請求項２】
前記（Ａ）に記載の部材及び前記（Ｂ）に記載の部材が連続した一体化部材であって、
当該連続した部分の境界が、折り返し構造、綴じ構造、及びループ構造からなる群から選ばれる１以上により形成されてなるものである、請求項１に記載の装飾体用の携帯型保持具。
【請求項３】
前記（Ａ）に記載の部材及び前記（Ｂ）に記載の部材を構成する軟性材質が、
皮革製及び／又は合成皮革製の材質である、請求項１又は２に記載の装飾体用の携帯型保持具。
【請求項４】
前記（Ａ）に記載の装飾体保持孔が、
前記（Ｃ）に記載の係合及び係止することを可能とする手段を構成する部品のうちの前記（Ａ）に記載の部材に備えられた部品と、前記（Ａ）に記載の部材及び前記（Ｂ）に記載の部材との連続した部分の境界又は連結した部分と、の間に挟まれた位置に形成されたものである、請求項１〜３のいずれかに記載の装飾体用の携帯型保持具。
【請求項５】
前記バッジ型装飾体が、
ネジ軸式又はピンバッジ式の留め具を備えた襟章である、請求項１〜４のいずれかに記載の装飾体用の携帯型保持具。
【請求項６】
ネジ軸式又はピンバッジ式の留め具を備えた襟章である装飾体の装飾表示面及び／又は装飾表示形状が視認できるように保持可能な装飾体用の携帯型保持具であって、；
（Ｅ）（ｅ１）断面の厚さ１．５〜３ｍｍの皮革製又は合成皮革製の材質からなるシート状の支持部材であり、（ｅ２）前記装飾体の留め具軸を挿入可能であり且つ前記装飾体の留め具を用いて固定可能である装飾体保持孔を有する装飾体保持部材と、
（Ｆ）（ｆ１）前記（Ｅ）に記載の部材と連続した一体化部材であって、当該連続した部分の境界が、折り返し構造、綴じ構造、又はループ構造により形成されてなるものであり、（ｆ２）断面の厚さ０．５〜３ｍｍの皮革製又は合成皮革製の材質からなるシート状の支持部材であり、（ｆ３）前記装飾体の装飾表示面又は装飾形状が視認できる向きになるように前記装飾体の留め具軸を前記（Ｅ）に記載の装飾体保持孔に挿入して固定した場合において、前記装飾体の留め具端の接触保護が可能となる構造になるように備えられた保護部材と、
（Ｇ）前記（Ｅ）に記載の部材と、前記（Ｆ）に記載の部材と、を脱着可能な状態で係合及び係止することを可能とする手段と、及び、
（Ｈ）外部物品との固定用連結手段と、
を備えてなり、；
前記（Ｅ）に記載の装飾体保持孔が、前記（Ｇ）に記載の係合及び係止することを可能とする手段を構成する部品のうちの前記（Ｅ）に記載の部材に備えられた部品と、前記（Ｅ）に記載の部材及び前記（Ｆ）に記載の部材との連続した部分の境界と、の間に挟まれた位置に形成されたものである、；
ことを特徴とする、軸付きバッジ型装飾体用の携帯型保持具。
【考案の詳細な説明】
【技術分野】
【０００１】
本考案は、軸付きバッジ型装飾体の装飾表示面及び／又は装飾表示形状が視認できるように保管可能な装飾体用の携帯型保持具に関する。
詳しくは、外出先等の屋外においてバッジ型装飾体を紛失及び損傷させることなく保管可能であり、且つ、保管と同時にバッジ型装飾体の装飾体表示面等のデザイン性を活かしたアクセサリーとしても活用し得る、軸付きバッジ型装飾体用の携帯型保持具に関する。
【背景技術】
【０００２】
バッジ型装飾体は、優れたデザイン性を有する物が多く、日常におけるアクセサリーとして着用使用されるだけでなく、所属団体での活動、社会生活、又は公的な場面においても、標識目的に着用が求められる場合が多い。例えば、襟章等のバッジ型装飾体は、着用者の所属や身分を識別する標識機能を発揮する場合が多い。
【０００３】
ここで、襟章等のバッジ型装飾体としては、社章や徽章等を挙げることができる。当該装飾体は、所属する団体や身分等を識別する標識機能を発揮し、その者の所属等の出所表示に重要な役割を果たしている場合が多く、これらを着用して言動や行動を行った場合、着用者が所属する団体等の言動や行動と同一視される場合ある。
そのため、通常の場合、所属団体等の活動時間外においては、襟章を外して個人的な活動をすることが求められる場合が多く、特に勤務時間後の帰路途中や飲み屋等では、背広等から襟章を外すことを望まれる場面が多い。
また、式典等の来賓として出席や、裁判所での弁護士等の職務において、徽章や記章等を着用する場面があるが、なんらかの理由によりこれらを取り外す場合もある。
【０００４】
しかし、襟章等のバッジ型装飾体は、特に公的性質や格調高いものでは、衣服等との留め具として安全ピンではなく、雌型留め具との係合係止によるネジ式やピン式の「軸付き」の形態が採用されている場合が多い。
また、外出時において、襟章等の収納ケースや収納箱等を一緒に持参する人は極めて稀である。
そのため、これら襟章等を屋外で外した場合、外した後の襟章等は極めて紛失又は損傷しやすい状態となる。実際、社章や徽章等の紛失又は損傷経験の事例は多いと認められる。
【０００５】
野外で襟章等を外した場合、襟章等を仮保管する手段として最も簡易な方法は、取外した襟章等をポケットや財布等にそのまま入れて保管する方法である。
しかし、当該方法の場合、襟章等がポケット内容物や小銭等との継続的な接触し、装飾体表示面等（マーク等）が剥げて損傷してしまう恐れがある。特に、帰宅後等その後に失念してしまった場合、長時間他の小物等と接触する状態に晒されることになる。このような状態が継続的に続くと、装飾体表示面等だけでなく、留め具である軸の破損を含めて、より酷い損傷破損の危険性がある。また、サイズが小さい物品である留め具の雌型部材のみを、紛失してしまう恐れもある。
【０００６】
また、ポケット等以外に一時的に襟章等のバッジ型装飾体を保管する別の手段として、例えば、カバン、ベルト、バックパック等に元々ある孔に襟章等の止め付け軸を挿入して固定した状態にて、仮保管する方法が考えられる。
しかし、当該方法では、固定する側のカバン等の支持体の形状や大きさ等が好適でない場合が多く、また、カバン等の持ち運びの際に軸の裏側等が他の物品等と接触するおそれがあり、止めネジ等が緩んで襟章自体を紛失してしまう可能性がある。
【０００７】
また、襟章の装飾表示面等の標識性を秘匿し且つ紛失を防止する目的で、襟章等を表裏逆にして着用する方法が考えられる。
当該方法を実行しやすくする手段として、例えば特許文献１には、襟章等を背広等の衿元に裏返しに装着して、そのネジ棒等の先端に宝石等の装飾性を備えた固定具を取り付け、さらに脱落による紛失を防止するためにチェーンで固定する用具が考案されている。
しかし、特許文献１に係る固定具を用いた方法は、宝石等何等かの代替アクセサリーを着用する必要があるため、会社帰りや飲み屋等で一般人が自然に実行できる方法とは言い難い。
【０００８】
また、襟章等の装飾表示面等は、格調等が高いでデザインが多いため、背広等から取外後にアクセサリーとしても使用価値がある場合がある。しかし、特許文献１に記載の方法では、表示面等のデザインを完全に秘匿してしまうため、取外した襟章等自体の装飾体としてのデザイン性を活かした活用をすることができない。
また、一般の人々が会社帰り等に背広等から襟章等を外してプライベート活動をする目的は、「団体構成員等の立場からの言動や行動でない」ことの責任免除を明確にすることが主目的であり、所属や身分等を完全に秘匿することまでは求められていない場合が多いと思料される。
この点、特許文献１に記載の方法では、襟章を反転させること行為自体、所属や身分等を秘匿したい意図が、直接的過ぎる感があり必ずしも好適な方法とは言えない。
【先行技術文献】
【特許文献】
【０００９】
【特許文献１】実用新案登録第３００４０８６号公報
【考案の概要】
【考案が解決しようとする課題】
【００１０】
本考案は、上記従来技術の課題を解決し、外出先等の屋外においてバッジ型装飾体を紛失及び損傷させることなく保管可能であり、且つ、保管と同時にバッジ型装飾体の装飾表示面等のデザイン性を活かしたアクセサリーとしても活用し得る、軸付きバッジ型装飾体用の保持具を提供することを目的とする。
【課題を解決するための手段】
【００１１】
本考案者は、上記課題を解決するため、鋭意検討を重ねた結果、
i）装飾体保持孔を有する特定断面厚を有する軟性材質からなるシート状の支持部材である装飾体保持部材と、； ii）装飾体保持部材と連続した又は連結したシート状の支持部材である装飾体留め具保護部材と、； iii）装飾体保持部材と装飾体留め具保護部材とを係合及び係止することを可能とする手段と、；及び iv）外部物品との固定用連結手段と、；
を備えることによって、
軸付きバッジ型装飾体用の装飾表示面及び／又は装飾表示形状が視認可能なように保持可能であり、保管と同時にバッジ型装飾体の装飾表示面等のデザイン性を活かしたアクセサリーとしても活用し得る携帯型保持具を実現できることを見出した。
【００１２】
本考案は、上記知見に基づいて想到されたものであり、具体的には以下の軸付きバッジ型装飾体用の携帯型保持具に係る考案に関する。
［１］
軸付きバッジ型装飾体の装飾表示面及び／又は装飾表示形状が視認できるように保持可能な装飾体用の携帯型保持具であって、
（Ａ）（ａ１）断面の厚さ１〜５ｍｍの軟性材質からなるシート状の支持部材であり、（ａ２）前記装飾体の留め具軸を挿入可能であり且つ前記装飾体の留め具を用いて固定可能である装飾体保持孔を有する装飾体保持部材と、
（Ｂ）（ｂ１）前記（Ａ）に記載の部材と連続した又は連結した部材であって、軟性材質からなるシート状の支持部材であり、（ｂ２）前記装飾体の装飾表示面又は装飾形状が視認できる向きになるように前記装飾体の留め具軸を前記（Ａ）に記載の装飾体保持孔に挿入して固定した場合において、前記装飾体の留め具端の接触保護が可能となる構造になるように備えられた保護部材と、
（Ｃ）前記（Ａ）に記載の部材と、前記（Ｂ）に記載の部材と、を脱着可能な状態で係合及び係止することを可能とする手段と、及び、
（Ｄ）外部物品との固定用連結手段と、
を備えてなることを特徴とする、軸付きバッジ型装飾体用の携帯型保持具。
［２］
前記（Ａ）に記載の部材及び前記（Ｂ）に記載の部材が連続した一体化部材であって、
当該連続した部分の境界が、折り返し構造、綴じ構造、及びループ構造からなる群から選ばれる１以上により形成されてなるものである、前記［１］に記載の装飾体用の携帯型保持具。
［３］
前記（Ａ）に記載の部材及び前記（Ｂ）に記載の部材を構成する軟性材質が、
皮革製及び／又は合成皮革製の材質である、前記［１］又は［２］に記載の装飾体用の携帯型保持具。
［４］
前記（Ａ）に記載の装飾体保持孔が、
前記（Ｃ）に記載の係合及び係止することを可能とする手段を構成する部品のうちの前記（Ａ）に記載の部材に備えられた部品と、前記（Ａ）に記載の部材及び前記（Ｂ）に記載の部材との連続した部分の境界又は連結した部分と、の間に挟まれた位置に形成されたものである、前記［１］〜［３］のいずれかに記載の装飾体用の携帯型保持具。
［５］
前記バッジ型装飾体が、
ネジ軸式又はピンバッジ式の留め具を備えた襟章である、前記［１］〜［４］のいずれかに記載の装飾体用の携帯型保持具。
［６］
ネジ軸式又はピンバッジ式の留め具を備えた襟章である装飾体の装飾表示面及び／又は装飾表示形状が視認できるように保持可能な装飾体用の携帯型保持具であって、；
（Ｅ）（ｅ１）断面の厚さ１．５〜３ｍｍの皮革製又は合成皮革製の材質からなるシート状の支持部材であり、（ｅ２）前記装飾体の留め具軸を挿入可能であり且つ前記装飾体の留め具を用いて固定可能である装飾体保持孔を有する装飾体保持部材と、
（Ｆ）（ｆ１）前記（Ｅ）に記載の部材と連続した一体化部材であって、当該連続した部分の境界が、折り返し構造、綴じ構造、又はループ構造により形成されてなるものであり、（ｆ２）断面の厚さ０．５〜３ｍｍの皮革製又は合成皮革製の材質からなるシート状の支持部材であり、（ｆ３）前記装飾体の装飾表示面又は装飾形状が視認できる向きになるように前記装飾体の留め具軸を前記（Ｅ）に記載の装飾体保持孔に挿入して固定した場合において、前記装飾体の留め具端の接触保護が可能となる構造になるように備えられた保護部材と、
（Ｇ）前記（Ｅ）に記載の部材と、前記（Ｆ）に記載の部材と、を脱着可能な状態で係合及び係止することを可能とする手段と、及び、
（Ｈ）外部物品との固定用連結手段と、
を備えてなり、；
前記（Ｅ）に記載の装飾体保持孔が、前記（Ｇ）に記載の係合及び係止することを可能とする手段を構成する部品のうちの前記（Ｅ）に記載の部材に備えられた部品と、前記（Ｅ）に記載の部材及び前記（Ｆ）に記載の部材との連続した部分の境界と、の間に挟まれた位置に形成されたものである、；
ことを特徴とする、軸付きバッジ型装飾体用の携帯型保持具。
【考案の効果】
【００１３】
本考案は、外出先等の屋外においてバッジ型装飾体を紛失及び損傷させることなく保管可能であり、且つ、保管と同時にバッジ型装飾体の装飾表示面等のデザイン性を活かしたアクセサリーとしても活用し得る、軸付きバッジ型装飾体用の保持具を提供することが可能となる。
【図面の簡単な説明】
【００１４】
【図１】本考案に係るバッジ型装飾体用の携帯型保持具の一形態を示す図である。（Ａ）正面視図。（Ｂ）軸付きバッジ型装飾体を固定した後、係合及び係止手段を外した状態における側面視図。
【００１５】
【図２】本考案に係るバッジ型装飾体用の携帯型保持具の一形態を示す図である。（Ａ）正面視図。（Ｂ）軸付きバッジ型装飾体を固定した後、係合及び係止手段を外した状態における側面視図。
【００１６】
【図３】実施例１において、製造した装飾体用保持具（本考案実施品１〜３）を撮影した写真像を示す図である。
【００１７】
【図４】実施例２で保管対象としたバッジ型装飾体（襟章）について、側面視から撮影した写真像を示す図である。（Ａ）ネジ軸式の襟章。（Ｂ）ピンバッジ式の襟章。
【００１８】
【図５】実施例２において、本考案実施品２に係る装飾体用保持具を使用し、襟章を保管する例を撮影した写真像図である。
【００１９】
【図６】実施例２において、本考案実施品３に係る装飾体用保持具を使用し、襟章を保管する例を撮影した写真像図である。
【考案を実施するための形態】
【００２０】
以下、本考案の実施形態を詳細に説明する。なお、以下の実施形態に記載された符号は、図面に表された符号を指すものであるが、本考案の範囲は図面に表された特定形態に限定されるものではない。
また、実施形態段落における特定の構成要件の組み合わせは例示であり、本考案の範囲はこれらの具体的な組み合わせに限定されるものではない。
【００２１】
１．軸付きバッジ型装飾体
本考案に係る装飾体用保持具（符号１）を用いて保管することが可能な保持対象は、「軸付きバッジ型装飾体」（符号１１）である。
ここで、本明細書において「バッジ型装飾体」とは、デザイン性を有する装飾表示面又は装飾形状等（符号１２）を備えたものであって、衣服等（帽子、靴等の装身具を含む）に着用することで、着用者を装飾する目的の物品を指す。
【００２２】
また、本明細書において「装飾表示面又は装飾表示形状」（符号１２）とは、装飾体の本体部分に表わされたデザイン性を有する部分を指す。具体的には、印刷、刻印、及び／又は造形等の加工や処理により、文字、図形、記号、立体的形状、若しくはこれらの結合、又はこれと色彩との結合により、デザイン性が施された装飾体本体部分を指す。
【００２３】
また、本明細書において「軸付き装飾体」とは、衣服等への留め具として軸（符号１３ａ）を有する装飾体を指すものである。ここで、「軸」とは、装飾体本体から垂直又は略垂直方向に備えられた雄型の留め具部材（符号１３ａ）を指す。当該雄型留め具部材（符号１３ａ）は、雌型の留め具部材（符号１３ｂ）と係合することによって、装飾体全体を衣服等に係止するための部材である。具体的には、ネジ式のネジ軸、ピンバッジ式のピン等の形状の軸を挙げることができる。
雌型の留め具部材（符号１３ｂ）としては、例えば、ロータリーネジ、平ネジ、タイクック、バタフライクック等、前記雄型の留め具部材（符号１３ａ）と係合及び係止する機能を有し、留め具として機能するものであれば特に制限はない。
【００２４】
本考案の保持対象に想定されるバッジ型装飾体（符号１１）としては、特には「襟章」を挙げることができる。所属団体や身分等を識別可能な標識機能を発揮し得るものを挙げることができる。例えば、社章、徽章、記章、校章、階級章等を挙げることができる。
【００２５】
また、当該バッジ型装飾体（符号１１）としては、装飾表示面又は装飾形状等（符号１２）が、所属団体等の標識機能を発揮しないものも挙げることができる。例えば、純粋なアクセサリー用途として着用する狭義のバッジ、ブローチ、コサージュ等を挙げることができる。
【００２６】
２．装飾体用保持具の構成部材及び手段
本考案に係る装飾体用保持具（符号１）は、次の構成部材及び手段等を技術的特徴として備えてなる携帯型の保持具である。
【００２７】
［装飾体保持部材］
本考案に係る装飾体用保持具（符号１）は、装飾体保持部材（符号２）を構成部材として含んでなるものである。
当該装飾体保持部材（符号２）の主たる機能は、バッジ型装飾体（符号１１）の安定した保持である。具体的には、バッジ型装飾体（符号１１）の軸（符号１３ａ）を装飾体保持孔（符号７）に挿入して留め具（符号１３）を使用した場合に、当該装飾体（符号１１）を安定して固定保持することを可能とする部材である。
【００２８】
・材質
本考案に係る装飾体保持部材（符号２）は、軟性材質からなるシート状の支持部材である。
ここで、「軟性材質」としては、i）装飾体用保持具（符号１）の支持部材としての強度を保持しつつ、ii）バッジ型装飾体の留め具（符号１３）によって固定が可能な程度に表面の摩擦を有し、iii）力を加えた際に柔軟に屈曲が可能であるが、力を緩めた場合に元の形状に戻ろうとする性質（「柔軟性」）を有する、材質を指すものである。
このような性質を有する材質としては、具体的には、皮革製（天然皮革製）、合成皮革製、人工皮革製、合成樹脂製、ゴム製等の材質を挙げることができる。好ましくは、皮革製（天然皮革製）及び／又は合成皮革製の材質が好適である。
【００２９】
装飾体保持部材（符号２）の材質として特に好適な材質は、「皮革製（天然皮革製）」である。ここで、「皮革」とは、天然の動物の皮膚から毛を除去し、鞣し工程を行って加工した素材を指す。「皮」や「レザー」と表現する場合もある。
皮革の原料となる動物皮としては、皮革製品の原料として利用可能なものであれば、特に制限はなく採用することができる。例えば、ウシ、ブタ、ウマ、ヒツジ、ヤギ、ロバ、カンガルー、ゾウ、ウサギ、シカ、クマ、ネコ、イヌ、ヒョウ、タヌキ、キツネ、イタチ、ミンク、テン、アザラシ等の哺乳類、；ワニ、ヘビ、トカゲ等の爬虫類、；サメ、エイ、サケ、コイ等の魚類、；などの皮原料を挙げることができる。
特に、原料の入手容易性、品質等の観点から、ウシ皮（牛革）、ブタ皮、ウマ皮、ヒツジ皮、ヤギ皮、ロバ皮等を好適に用いることができる。
また、原料皮の鞣し工程後に、製品としての相応しい用途等に合わせて、再鞣、染色、加脂、裁断、重層処理等を行ったものも、好適に用いることができる。
【００３０】
また、装飾体保持部材（符号２）に係る支持部材しての十分な強度、表面摩擦、及び柔軟性を備えたものであれば、合成皮革製、人工皮革製、合成樹脂製、ゴム製、厚手布製、等の材質ものも用いることができる。
ここで、「合成皮革」とは、天然の布地を基材とし合成樹脂を塗布した人工素材を指す。また、「人工皮革」とは、マイクロファイバー等の布地に合成樹脂を含浸させてもの、又は、これにさらに合成樹脂を塗布して形成させた人工素材を指す。また、「合成樹脂」とは、ポリ塩化ビニル、ポリウレタン等にて構成される人工材質である。また、「ゴム」とは、天然ゴム等の天然素材、合成ゴム等の人工素材を指す。「厚手布」とは、厚手の布生地等の素材を指す。
支持部材しての十分な強度、表面摩擦、及び柔軟性を具備したものであれば、これらの材質のものを採用することが可能である。
【００３１】
なお、本考案の場合、携帯用の大きさに適していれば良いため、他の鞄製品や衣類等を製作した際に余った端切れ等であっても、十分に本考案品に係る原料として用いることができる。
【００３２】
・形状
装飾体保持部材（符号２）の形状としては、広義の意味でのシート状（略シート状を含む）形状のものとなる。当該保持具の支持体としての強度が保持でき、且つ持ち運びの際に不便とならない形状であれば、如何なる形状を採用することもできる。
例えば、帯状、略帯状、円状、三角状、四角状、矩形状、多角状（五角状、六角状等）、円状、ハート状、星状、雫状、半円状、楕円状、等、如何なるシート状の形状を挙げることもできる。また、モチーフ、キャラクター等を形状として表現して、切り絵のようなデザイン性を加味した如何なる形状とすることも可能である。
好ましくは、帯状、略帯状、これらに準じる縦長の形状が好適である。なお、シート状の外縁部分（長手端及び短手端の両形状）は、必ずしも直線状である必要はなく、丸みを帯びた形状としたり、外縁部分を波打たせた形状としたり、縁取りを付加したり、凹凸を付したり、デザイン性を加味した如何なる形状とすることも可能である。
【００３３】
装飾体保持部材（符号２）の大きさとしては、ストラップ、キーホルダー等のように、外部物品に連結固定した際に、持ち運びに不自然にならない大きさを採用することが好適である。例えば、２〜１５ｃｍ、好ましくは２．５〜１０ｃｍ、より好ましくは３〜８ｃｍ、さらに好ましくは３．５〜６ｃｍを挙げることができる。
【００３４】
短手長としては、装飾体用保持具（符号１）としての強度が保持でき、且つ持ち運びの際に不便とならない長さであれば十分である。例えば、０．５ｃｍ以上、好ましくは１ｃｍ以上、を挙げることができる。好ましくは、通常の襟章の装飾体表示面等（符号１２）の幅より大きい長さが望ましく、例えば１．５ｃｍ以上が好適である。
上限値は、長手長の上限と同様の値を採用可能であるが、外部物品との連結した携帯の場面を鑑みると、３ｃｍ以下、好ましくは２．５ｃｍ以下、より好ましくは２ｃｍ以下、とすることが好適である。
【００３５】
長手長及び短手長の比率としては、特に制限はないが、ストラップ、キーホルダー等のように外部物品に連結固定した際に、持ち運びに不自然にならない形状とすると、好ましくは、短手長１に対して、長手長１．２〜１０、好ましくは１．５〜５、より好ましくは２〜４程度が好適である。
【００３６】
装飾体保持部材（符号２）の断面の厚さとしては、軸付き装飾体の留め具（符号１３）によって好適に固定可能な肉厚を有し、且つ、装飾体用保持具（符号１）として十分な強度及び柔軟性が維持できる厚さを採用することができる。
具体的には、軸付き装飾体留め具（符号１３）と直接接触する部分である「装飾体留め具固定部」（符号２ａ）の厚さが、シート状支持部材の断面厚（横断面の長さ）として、１〜５ｍｍ、好ましくは１〜３ｍｍ、さらに好ましくは１．５〜３ｍｍ、より好ましくは１．５〜２．５ｍｍの厚さであることが好適である。
当該断面が薄すぎる又は厚すぎる場合、軸付き装飾体の留め具（符号１３）を用いて好適に固定可能な肉厚とはならない可能性があり好適でない。
【００３７】
装飾体留め具固定部（装飾体保持孔付近の領域：符号２ａ）以外の周辺部分（符号２ｂ）の厚さについては、装飾体を固定した際に十分な強度及び柔軟性が維持できる厚さであれば十分であるため、装飾体留め具固定部（符号２ａ）よりも薄い断面厚を採用することも可能である。
具体的には、シート状支持部材の断面厚（横断面の長さ）として、０．５〜５ｍｍ、好ましくは０．７５〜３ｍｍ、より好ましくは１〜３ｍｍ、さらに好ましくは１〜２．５ｍｍの厚さであることが好適である。
当該断面が薄すぎる場合、強度が失われて支持部材の性質として好適でなくなる可能性があり好ましくない。また、当該断面が厚すぎる場合、柔軟性が失われて支持部材の性質として好適でなくなる可能性があり好ましくない。
【００３８】
製作工程における加工等の容易性を踏まえると、装飾体留め具固定部（符号２ａ）とその周辺部（符号２ｂ）は、連続した一体化部材であることが好適である。そのため、当該周辺部（符号２ｂ）の厚さとしては、好ましくは、装飾体留め具固定部（符号２ａ）と同じ厚さを採用することが好適である。
【００３９】
装飾体保持部材（符号２）における装飾体留め具固定部（符号２ａ）及びその周辺部（符号２ｂ）のシート断面の厚さを実現するためには、最初の原料から厚いシート状部材を製造しても良いし、２枚以上のシート部材を貼り合わせ又は縫い合わせて、１枚の肥厚したシート部材を製造しても良い。
【００４０】
装飾体保持部材（符号２）の色彩としては特に制限はなく、如何なる色彩や模様を採用することが可能である。なお、装飾体自体のデザインをより映えるようにするためには、部材の色彩として暗めの色彩（例えば、黒色、茶色、濃灰色、濃緑色、農青色、農赤色など）を採用することが望ましい。好ましくは黒色や茶色、特に黒色が好適である。
【００４１】
・装飾体保持孔
装飾体保持部材（符号２）は、装飾体保持孔（符号７）を有することを必須の特徴とする部材である。装飾体保持孔（符号７）は、バッジ型装飾体の留め具軸（符号１３ａ）を挿入するための孔である。挿入後、装飾体の留め具によって係合係止することによって、バッジ型装飾体（符号１１）を装飾体保持部材（符号２）に固定して保持させることが可能となる。
【００４２】
装飾体保持孔（符号７）の形状及び大きさとしては、バッジ型装飾体の留め具軸（符号１３ａ）の挿入に適し且つバッジ型装飾体（符号１１）がグラついたりすることなく固定が可能な形状であれば、如何なる形状及び大きさを採用することができる。
装飾体保持孔（符号７）の形状としては、楕円状、三角状、四角状、多角環状、星形状のような形状を採用することもできるが、好ましくは、装飾体留め具軸（符号１３ａ）の横断面と同形である円状又は環状が好適である。なお、円状や環状は、加工の点でも好適である。
また、装飾体保持孔（符号７）の大きさとしては、円状又は環状の内径に換算して、好適には１〜４ｍｍ、好ましくは１．５〜３．５ｍｍ、より好ましくは２〜３ｍｍが好適である。装飾体保持孔（符号７）の形状が円状又は環状でない形状の場合（例えば、多角環状等の場合）、装飾体保持孔（符号７）の内縁の最短距離が上記大きさに相当するサイズを採用することができる。
【００４３】
装飾体保持孔（符号７）の形成手段としては、通常の皮革製品製造や樹脂加工での貫通加工により、シート状支持体に当該保持孔を形成させることができる。また、用途に応じて、孔の内縁にハトメやグロメット等のリング状又は管状部材を付加したり、コーティング処理等の加工を施すことも可能である。
【００４４】
装飾体保持孔（符号７）の数としては、最低１個あれば本考案に係る装飾体用保持具の役割を達成することができるが、携帯での利便性や持ち運びに不都合が生じない範囲であれば、２個以上の装飾体保持孔（符号７）を形成させる態様も可能である。
具体的には、携帯時の利便性を重視する用途の装飾体用保持具（符号１）を製造する場合であれば、装飾体保持孔（符号７）の好適な数としては、１〜３個、好ましくは１〜２個、さらに好ましくは１個である。
一方、襟章の保管を重視する用途の場合であれば、ある程度の数の装飾体保持孔（符号７）があった方が好ましく、例えば１〜１０個、好ましくは１〜８個、より好ましくは１〜６個、さらに好ましくは１〜４個である。
【００４５】
装飾体保持部材（符号２）における装飾体保持孔（符号７）の位置としては、バッジ型装飾体が安定して保持でき、且つ、装飾体表示面等の視認が不自然なく可能であれば、特に制限なく配置することができる。好ましくは、装飾体保持部材（符号２）の中央付近に形成させることが好適である。
複数の装飾体保持孔（符号７）を配置する場合の配列パターンとしては、特に制限はないが、直列や２並列等の規則性を以て配列した態様の場合、整理された印象が向上しデザイン性の点で好適である。
【００４６】
好適な態様として、装飾体保持孔（符号７）の形成位置としては、i）装飾体保持部材（符号２）と装飾体留め具端保護部材（符号３）との連続した部分の境界又は連結した部分（連続・連結部位：符号４）と、ii）装飾体保持部材（符号２）と装飾体留め具端保護部材（符号３）を係合及び係止するための手段（符号５）を構成する部品のうちの装飾体保持部材に備えられた部品（符号５ａ）と、の間に挟まれた位置に形成することが好適である（図１、図２、等参照）。
【００４７】
［装飾体留め具端保護部材］
本考案に係る装飾体用保持具（符号１）は、装飾体留め具端保護部材（符号３）を構成部材として含んでなるものである。
当該保護部材（符号３）の主たる機能は、装飾体留め具端の保護である。具体的には、バッジ型装飾体（符号１１）の装飾表示面又は装飾表示形状（符号１２）が視認できる向きに、装飾体の留め具軸（符号１３ａ）を装飾体保持孔（符号７）に挿入して留め具（符号１３）を使用した場合、前記装飾体の留め具端（符号１３ｃ）は当該保護部材（符号３）と接触して固定された状態になる。そのため、装飾体の留め具（符号１３）は、当該保護部材（符号３）により衝撃等から接触保護された状態となり、留め具の緩みや脱落等を物理的に防止することが可能となる。
【００４８】
・材質
装飾体留め具端保護部材（符号３）は、軟性材質からなるシート状の支持部材である。材質としては、装飾体保持部材（符号２）と同様の材質の部材を採用することができる。
当該保護部材（符号３）の材質としては、具体的には、皮革製（天然皮革製）、合成皮革製、人工皮革製、合成樹脂製、ゴム製、等の材質を挙げることができる。好ましくは、皮革製（天然皮革製）及び／又は合成皮革製の材質が好適である。最も好ましくは、「皮革製（天然皮革製）」である。
【００４９】
・形状
装飾体留め具端保護部材（符号３）の形状としては、広義の意味でのシート状（略シート状を含む）形状のものとなる。当該保護部材（符号３）としての強度が保持でき、且つ持ち運びの際に不便とならない形状であれば、如何なる形状を採用することもできる。
具体的には、装飾体保持部材（符号２）と同様の形状を採用することができる。好ましくは、帯状、略帯状、これらに準じる縦長の形状が好適である。なお、外縁部分（長手端及び短手端の両形状）は、必ずしも直線状である必要はなく、丸みを帯びた形状としたり、外縁部分を波打たせた形状としたり、縁取りを付加したり、凹凸を付したり、デザイン性を加味した如何なる形状とすることも可能である。
【００５０】
当該保護部材（符号３）は、装飾体保持部材（符号２）と連続した又は連結したシート状の部材である。
当該保護部材（符号３）は、装飾体保持部材（符号２）と連続した部分又は連結した部分（これらを合わせて連続・連結部位（符号４）という）を介して、 i）装飾体保持部材（符号２）の裏面（装飾体留め具の軸（符号１３ａ）が挿入される面）と重なり合うように、又は、ii）前記裏面と隙間を有しつつ留め具端（符号１３ｃ）と接触可能な位置に並び合うように、配置された構造となる部材である。
当該保護部材（符号３）の配置構造により、バッジ型装飾体（符号１１）の装飾表示面又は装飾表示形状（符号１２）が視認できる向きになるように装飾体留め具の軸（符号１３ａ）を装飾体保持孔（符号７）に挿入して固定した場合に、前記装飾体の留め具端（符号１３ｃ）の接触保護が可能となる。
【００５１】
当該連続・連結部位（符号４）の構造としては、次の様式を挙げることができる。
i）当該保護部材（符号３）と装飾体保持部材（符号２）とが連続した一体化した部材である場合、当該連続部分は折り返し構造、綴じ構造、ループ構造、等の構造となる。
ii）また、当該保護部材（符号３）と装飾体保持部材（符号２）とが別部材の場合、両部材を連結する手段が必要となる。連結様式が当該保護部材（符号３）と装飾体保持部材（符号２）とをタンデムに配置して連結する様式の場合、当該連結部分は折り返し構造、綴じ構造、ループ構造、等の構造となる。
iii）また、当該保護部材（符号３）と装飾体保持部材（符号２）とが別部材の場合であって、当該保護部材（符号３）と装飾体保持部材（符号２）のシート表面を重ねて連結する様式の場合、綴じ構造に類似する構造となる。
【００５２】
なお、連続・連結部位（符号４）の上記折り返し構造、綴じ構造、ループ構造、二層構造等は、通常の革製品、衣類製品、装身具等で用いられる通常の技術によって形成することが可能である。例えば、縫い合わせ、係合係止具、留め具、接着剤など、通常の部材又は手段等（符号４ａ）を採用することができる。
【００５３】
当該保護部材（符号３）の断面の厚さとしては、軸付き装飾体の留め具端（符号１３ｃ）を保護することが可能であって、且つ、装飾体用保持具（符号１）として十分な強度及び柔軟性が維持できる厚さを採用することができる。
具体的には、シート状支持部材の断面厚（横断面の長さ）として、０．５〜５ｍｍ、好ましくは０．７５〜３ｍｍ、より好ましくは１〜３ｍｍ、さらに好ましくは１〜２．５ｍｍの厚さであることが好適である。
当該断面が薄すぎる場合、強度が失われて支持部材の性質として好適でなくなる可能性があり好ましくない。また、当該断面が厚すぎる場合、柔軟性が失われて支持部材の性質として好適でなくなる可能性があり好ましくない。
【００５４】
製作工程における加工等の容易性を踏まえると、当該保護部材（符号３）は、装飾体保持部材（符号２）と連続した一体化部材であることが好適である。また、当該連続部位（符号４）は、一カ所のみであることが好適である。
【００５５】
当該保護部材（符号３）の厚さとしては、好ましくは、装飾体保持部材（符号２）と同じ厚さを採用することが好適である。
当該保護部材（符号３）のシート断面の厚さを実現するためには、原料素材として厚いシート状部材を製造しても良いし、２枚以上のシート部材を貼り合わせ又は縫い合わせて、１枚の肥厚したシート部材を製造することも可能である。
【００５６】
当該保護部材（符号３）の色彩としては特に制限はなく、如何なる色彩や模様を採用することが可能である。なお、装飾体自体のデザインをより映えるようにするためには、暗めの色彩（例えば、黒色、茶色、濃灰色、濃緑色、農青色、農赤色など）を採用することが望ましい。好ましくは黒色や茶色、特に黒色が好適である。
【００５７】
［係合及び係止手段］
本考案に係る装飾体用保持具（符号１）は、装飾体保持部材（符号２）と装飾体留め具保護部材（符号３）とを、脱着可能な状態で係合及び係止することを可能とする手段（符号５）を、構成部材として含んでなるものである。
当該係合及び係止手段（符号５）の主たる機能は、持ち運びの際の振動等で容易に外れない程度の係止力を有し、且つ、着脱自体は通常の片手程度の力で容易に行うことを可能とする手段を指す。
【００５８】
当該係合及び係止手段（符号５）は、対になる２つの部品（符号５ａ、符号５ｂ）から構成されてなる手段である。当該２つの部品は、係合可能な形状及び／又は性質を有し、且つ、係合した際に十分な係止力が発生する形状及び／又は性質を有する部品である。
なお、当該手段（符号５）を構成する係合係止具等の形態によっては、必要に応じて対になる２つの部品以外の他の部品を備えてなる手段も許容される。
【００５９】
当該係合及び係止手段（符号５）としては、具体的には、通常の皮革製品、衣類製品、装身具等で用いられる通常の係合係止具や留め具等を採用することができる。
例えば、スナップボタン、リングスナップ、リングホック、アメリカンスナップ、タックボタン、アメリカンホック、アイレットホック、バネホック、ジャンパーホック、面ファスナー（マジックテープ（登録商標）等）、磁気式留め具、等を挙げることができる。
特には、ホック類に属する係合係止具が好適であり、さらに好ましくはジャンパーホック等が好適である。
【００６０】
当該係合及び係止手段（符号５）を構成する一方の部品は、装飾体保持部材（符号２）に備えられたものとなる。また、当該係合及び係止手段（符号５）を構成する他方の部品は、装飾体留め具端保護部材（符号３）に備えられたものとなる。
当該係合及び係止手段（符号５）と各部材の結合手段としては、通常の皮革製品、衣類製品、装身具等で用いられる通常の技術を採用することができる。
【００６１】
当該係合及び係止手段（符号５）の形成位置としては、装飾体を安定して固定保持可能であれば、特に制限なく形成させることができる。
好適な態様としては、装飾体保持部材（符号２）における装飾体保持孔（符号７）が、i）装飾体保持部材（符号２）と装飾体留め具端保護部材（符号３）との連続した部分の境界又は連結した部分（連続・連結部位：符号４）と、ii）当該係合及び係止するための手段を構成する部品のうちの装飾体保持部材に備えられた部品（符号５ａ）と、の間に挟まれた位置になるように、当該係合及び係止手段（符号５）を形成することが好適である（図１、図２、等参照）。
【００６２】
［固定用連結手段］
本考案に係る装飾体用保持具（符号１）は、外部物品との固定用連結手段（符号６）を構成部材として含んでなるものである。当該固定用連結手段（符号６）を備えることにより、本考案に係る装飾体用保持具（符号１）は、携帯性に優れた形態のものとなる。
【００６３】
固定用連結手段（符号６）としては、鞄、装身具、フック等（例えば、カバン、バッグ、リュックサック、ベルト、ネームホルダー、フック等）に連結して固定可能な手段であり、携帯に不便でないものであれば、如何なる部材及び／手段等を採用することができる。
例えば、携帯電話用のストラップ、キーホルダー用の固定金具、キーチェーン用のチェーン等、通常の固定用具を採用することが可能である。
【００６４】
固定用連結手段（符号６）の取り付け位置は、任意の部位を採用することができる当該固定用連結手段（符号６）を取り付けた位置が、本考案に係る装飾体固定具の上部になる。
例えば、当該取り付け位置としては、上記連続・連結部位（符号４）付近を採用することができる。当該態様において係合及び係止手段（符号５）が下側になった場合、バッジ型装飾体（符号１１）を挟んだ配列にて係合及び係止手段の部品（符号５ａ）と固定用連結手段（符号６）が３つ並んだ構成となり、デザイン性が高い製品となる。また、当該態様では、係合及び係止手段（符号５）が下側になるため、係止手段は携帯時の衝突等で外れにくくなり、より好適である。
また、当該取り付け位置としては、係合及び係止手段（符号５）付近を採用することもできる。この場合が係合及び係止手段（符号５）が上端になる。
【００６５】
［その他の構成部材等］
本考案に係る装飾体用保持具（符号１）は、上記構成部材及び手段等が発揮する機能を大きく妨げない範囲であれば、上記以外の構成部材、物品、及び／又は手段等が付加されてなることを、許容するものである。
また、デザイン性の向上等の目的で、各構成部材及び手段を構成する物品の形状、模様、及び／又は色彩等に、付与を許容するものである。
【００６６】
３．保管方法
上記構成部材及び手段により、本考案に係る装飾体用保持具（符号１）では、軸付きバッジ型装飾体（符号１１）の装飾表示面及び／又は装飾表示形状が視認できるように保持させ保管することが可能となる。
【００６７】
本考案に係る装飾体用保持具（符号１）に、軸付きバッジ型装飾体（符号１１）を保管する具体的な方法としては、 i）まず係合及び係止手段（符号５）を外して、ii）装飾体用保持具（符号１）の表面側から装飾体留め具の軸（符号１３ａ）を挿入し、iii）当該装飾体の留め具（符号１３）を用いて、当該装飾体（符号１１）を装飾体用保持具（符号１）に固定し、iv）再び係合及び係止手段（符号５）を係合させることによって、極めて容易に軸付きバッジ型装飾体（符号１１）の保持保管が可能となる。
【００６８】
バッジ型装飾体（符号１１）を装着した当該保持具（符号１）は、鞄や装身具等の外部物品と固定用連結手段（符号６）により連結固定することによって、外出先等の屋外においてバッジ型装飾体（符号１１）を紛失及び損傷させることなく保管することが可能となり、保管と同時にバッジ型装飾体（符号１１）の装飾体表示面等（符号１２）のデザイン性を活かしたアクセサリーとして活用することが可能となる。
【００６９】
また、屋内においてもバッジ型装飾体（符号１１）を装着した当該保持具（符号１）をフック等に固定することによって、バッジ型装飾体を紛失することなく長期保管することが可能となり、保管と同時にバッジ型装飾体（符号１１）の装飾体表示面等（符号１２）のデザイン性を活かした室内用インテリアとして使用することも可能となる。
【実施例】
【００７０】
以下、実施例を挙げて本考案を説明するが、本考案の範囲はこれらにより限定されるものではない。
【００７１】
［実施例１］『装飾体用の携帯型保持具の製造例』
牛革である皮革（色彩：黒色）を原料として用いて、軸付き装飾体用の携帯型保持具（符号１）を製造した。本実施例にて製造した軸付き装飾体用の携帯型保持具（本考案実施品１〜３）の写真像を図３に示した。
また、各特徴及び測定値を表１に示した。なお、表中における「主部材」とは、装飾体保持部材（符号２）及び装飾体留め具端保護部材（符号３）を指すものである。
【００７２】
【表１】
0003198646.tif 000003
【００７３】
［実施例２］『本考案に係る装飾体用保持具の使用例』
バッジ型装飾体である襟章を保管対象として用いて、本考案実施品を実際に使用する例を示した。
【００７４】
（１）本考案実施品２の使用例
本考案実施品２に係る装飾体用保持具（符号１）を使用し、装飾体留め具（符号１３）としてネジ軸式を採用している襟章（図４（Ａ））を保管対象として、その保管例を写真撮影し図５に示した。
図５（Ａ）は、襟章を保持具に着用した側面視図である。図５（Ｂ）は、襟章を保持具に着用した後に、ジャンパーホックを係止した状態の側面視図である。図５（Ｃ）は、襟章を保持具に着用した後に、ジャンパーホックを係止した状態の正面視図である。
【００７５】
（２）本考案実施品３の使用例
本考案実施品３に係る装飾体用保持具（符号１）を使用し、装飾体留め具（符号１３）としてピンバッジ式を採用している襟章（図４（Ｂ））を保管対象として、その保管例を写真撮影し図６に示した。
図６（Ａ）は、襟章を保持具に着用した側面視図である。図６（Ｂ）は、襟章を保持具に着用した後に、ジャンパーホックを係止した状態の側面視図である。図６（Ｃ）は、襟章を保持具に着用した後に、ジャンパーホックを係止した状態の正面視図である。
【産業上の利用可能性】
【００７６】
本考案は、アクセサリー、日常雑貨、装身具、衣料品等の製造販売業の様々な分野での利用が期待される。特に、襟章やバッジ等の取り扱い業者においての利用が期待される。
【符号の説明】
【００７７】
１  ：  軸付き装飾体用の携帯型保持具（装飾体用保持具）
２  ：  装飾体保持部材
２ａ：  装飾体保持部材における装飾体留め具固定部
２ｂ：  装飾体保持部材における周辺部
３  ：  装飾体留め具端保護部材（保護部材）
４  ：  連続・連結部位
４ａ：  連続・連結部位を構成する留め具
５  ：  係合及び係止手段
５ａ：  係合及び係止手段を構成する部品
５ｂ：  係合及び係止手段を構成する部品
６  ：  固定用連結手段
７  ：  装飾体保持孔
【００７８】
１１  ：  軸付きバッジ型装飾体（バッジ型装飾体）
１２  ：  装飾表示面及び／又は装飾表示形状
１３  ：  装飾体の留め具
１３ａ：  装飾体の留め具を構成する軸
１３ｂ：  装飾体の留め具を構成する部品
１３ｃ：  装飾体の留め具端
【図１】
0003198646.tif 000004
【図２】
0003198646.tif 000005
【図３】
0003198646.tif 000006
【図４】
0003198646.tif 000007
【図５】
0003198646.tif 000008
【図６】
0003198646.tif 000009
【手続補正書】
【提出日】平成27年5月15日(2015.5.15)
【手続補正１】
【補正対象書類名】実用新案登録請求の範囲
【補正対象項目名】全文
【補正方法】変更
【補正の内容】
【実用新案登録請求の範囲】
【請求項１】
軸付きバッジ型装飾体の装飾表示面及び／又は装飾表示形状が視認できるように保持可能な装飾体用の携帯型保持具であって、
（Ａ）（ａ１）断面の厚さ１〜５ｍｍの軟性材質からなるシート状の支持部材であり、（ａ２）前記装飾体の留め具軸を挿入可能であり且つ前記装飾体の留め具を用いて固定可能である装飾体保持孔を有する装飾体保持部材と、
（Ｂ）（ｂ１）前記（Ａ）に記載の部材と連続した又は連結した部材であって、軟性材質からなるシート状の支持部材であり、（ｂ２）前記装飾体の装飾表示面又は装飾形状が視認できる向きになるように前記装飾体の留め具軸を前記（Ａ）に記載の装飾体保持孔に挿入して固定した場合において、前記装飾体の留め具端の接触保護が可能となる構造になるように備えられた保護部材と、
（Ｃ）（ｃ１）前記（Ａ）に記載の部材と、前記（Ｂ）に記載の部材と、を脱着可能な状態で係合及び係止することを可能とする手段であって、（ｃ２）対になる２つの部品から構成されてなる手段であり、（ｃ３）前記対になる２つの部品が係合可能な形状及び／又は性質を有し且つ係合した際に十分な係止力が発生する形状及び／又は性質を有する部品である、係合及び係止手段と、及び、
（Ｄ）外部物品との固定用連結手段と、
を備えてなることを特徴とする、軸付きバッジ型装飾体用の携帯型保持具。
【請求項２】
前記（Ａ）に記載の部材及び前記（Ｂ）に記載の部材が連続した一体化部材であって、
当該連続した部分の境界が、折り返し構造、綴じ構造、及びループ構造からなる群から選ばれる１以上により形成されてなるものである、請求項１に記載の装飾体用の携帯型保持具。
【請求項３】
前記（Ａ）に記載の部材及び前記（Ｂ）に記載の部材を構成する軟性材質が、
皮革製及び／又は合成皮革製の材質である、請求項１又は２に記載の装飾体用の携帯型保持具。
【請求項４】
前記（Ａ）に記載の装飾体保持孔が、
前記（Ｃ）に記載の係合及び係止することを可能とする手段を構成する部品のうちの前記（Ａ）に記載の部材に備えられた部品と、前記（Ａ）に記載の部材及び前記（Ｂ）に記載の部材との連続した部分の境界又は連結した部分と、の間に挟まれた位置に形成されたものである、請求項１〜３のいずれかに記載の装飾体用の携帯型保持具。
【請求項５】
前記バッジ型装飾体が、
ネジ軸式又はピンバッジ式の留め具を備えた襟章である、請求項１〜４のいずれかに記載の装飾体用の携帯型保持具。
【請求項６】
ネジ軸式又はピンバッジ式の留め具を備えた襟章である装飾体の装飾表示面及び／又は装飾表示形状が視認できるように保持可能な装飾体用の携帯型保持具であって、；
（Ｅ）（ｅ１）断面の厚さ１．５〜３ｍｍの皮革製又は合成皮革製の材質からなるシート状の支持部材であり、（ｅ２）前記装飾体の留め具軸を挿入可能であり且つ前記装飾体の留め具を用いて固定可能である装飾体保持孔を有する装飾体保持部材と、
（Ｆ）（ｆ１）前記（Ｅ）に記載の部材と連続した一体化部材であって、当該連続した部分の境界が、折り返し構造、綴じ構造、又はループ構造により形成されてなるものであり、（ｆ２）断面の厚さ０．５〜３ｍｍの皮革製又は合成皮革製の材質からなるシート状の支持部材であり、（ｆ３）前記装飾体の装飾表示面又は装飾形状が視認できる向きになるように前記装飾体の留め具軸を前記（Ｅ）に記載の装飾体保持孔に挿入して固定した場合において、前記装飾体の留め具端の接触保護が可能となる構造になるように備えられた保護部材と、
（Ｇ）（ｇ１）前記（Ｅ）に記載の部材と、前記（Ｆ）に記載の部材と、を脱着可能な状態で係合及び係止することを可能とする手段であって、（ｇ２）対になる２つの部品から構成されてなる手段であり、（ｇ３）前記対になる２つの部品が係合可能な形状及び／又は性質を有し且つ係合した際に十分な係止力が発生する形状及び／又は性質を有する部品である、係合及び係止手段と、及び、
（Ｈ）外部物品との固定用連結手段と、
を備えてなり、；
前記（Ｅ）に記載の装飾体保持孔が、前記（Ｇ）に記載の係合及び係止することを可能とする手段を構成する部品のうちの前記（Ｅ）に記載の部材に備えられた部品と、前記（Ｅ）に記載の部材及び前記（Ｆ）に記載の部材との連続した部分の境界と、の間に挟まれた位置に形成されたものである、；
ことを特徴とする、軸付きバッジ型装飾体用の携帯型保持具。
【手続補正２】
【補正対象書類名】明細書
【補正対象項目名】００１２
【補正方法】変更
【補正の内容】
【００１２】
本考案は、上記知見に基づいて想到されたものであり、具体的には以下の軸付きバッジ型装飾体用の携帯型保持具に係る考案に関する。
［１］
軸付きバッジ型装飾体の装飾表示面及び／又は装飾表示形状が視認できるように保持可能な装飾体用の携帯型保持具であって、
（Ａ）（ａ１）断面の厚さ１〜５ｍｍの軟性材質からなるシート状の支持部材であり、（ａ２）前記装飾体の留め具軸を挿入可能であり且つ前記装飾体の留め具を用いて固定可能である装飾体保持孔を有する装飾体保持部材と、
（Ｂ）（ｂ１）前記（Ａ）に記載の部材と連続した又は連結した部材であって、軟性材質からなるシート状の支持部材であり、（ｂ２）前記装飾体の装飾表示面又は装飾形状が視認できる向きになるように前記装飾体の留め具軸を前記（Ａ）に記載の装飾体保持孔に挿入して固定した場合において、前記装飾体の留め具端の接触保護が可能となる構造になるように備えられた保護部材と、
（Ｃ）（ｃ１）前記（Ａ）に記載の部材と、前記（Ｂ）に記載の部材と、を脱着可能な状態で係合及び係止することを可能とする手段であって、（ｃ２）対になる２つの部品から構成されてなる手段であり、（ｃ３）前記対になる２つの部品が係合可能な形状及び／又は性質を有し且つ係合した際に十分な係止力が発生する形状及び／又は性質を有する部品である、係合及び係止手段と、及び、
（Ｄ）外部物品との固定用連結手段と、
を備えてなることを特徴とする、軸付きバッジ型装飾体用の携帯型保持具。
［２］
前記（Ａ）に記載の部材及び前記（Ｂ）に記載の部材が連続した一体化部材であって、
当該連続した部分の境界が、折り返し構造、綴じ構造、及びループ構造からなる群から選ばれる１以上により形成されてなるものである、前記［１］に記載の装飾体用の携帯型保持具。
［３］
前記（Ａ）に記載の部材及び前記（Ｂ）に記載の部材を構成する軟性材質が、
皮革製及び／又は合成皮革製の材質である、前記［１］又は［２］に記載の装飾体用の携帯型保持具。
［４］
前記（Ａ）に記載の装飾体保持孔が、
前記（Ｃ）に記載の係合及び係止することを可能とする手段を構成する部品のうちの前記（Ａ）に記載の部材に備えられた部品と、前記（Ａ）に記載の部材及び前記（Ｂ）に記載の部材との連続した部分の境界又は連結した部分と、の間に挟まれた位置に形成されたものである、前記［１］〜［３］のいずれかに記載の装飾体用の携帯型保持具。
［５］
前記バッジ型装飾体が、
ネジ軸式又はピンバッジ式の留め具を備えた襟章である、前記［１］〜［４］のいずれかに記載の装飾体用の携帯型保持具。
［６］
ネジ軸式又はピンバッジ式の留め具を備えた襟章である装飾体の装飾表示面及び／又は装飾表示形状が視認できるように保持可能な装飾体用の携帯型保持具であって、；
（Ｅ）（ｅ１）断面の厚さ１．５〜３ｍｍの皮革製又は合成皮革製の材質からなるシート状の支持部材であり、（ｅ２）前記装飾体の留め具軸を挿入可能であり且つ前記装飾体の留め具を用いて固定可能である装飾体保持孔を有する装飾体保持部材と、
（Ｆ）（ｆ１）前記（Ｅ）に記載の部材と連続した一体化部材であって、当該連続した部分の境界が、折り返し構造、綴じ構造、又はループ構造により形成されてなるものであり、（ｆ２）断面の厚さ０．５〜３ｍｍの皮革製又は合成皮革製の材質からなるシート状の支持部材であり、（ｆ３）前記装飾体の装飾表示面又は装飾形状が視認できる向きになるように前記装飾体の留め具軸を前記（Ｅ）に記載の装飾体保持孔に挿入して固定した場合において、前記装飾体の留め具端の接触保護が可能となる構造になるように備えられた保護部材と、
（Ｇ）（ｇ１）前記（Ｅ）に記載の部材と、前記（Ｆ）に記載の部材と、を脱着可能な状態で係合及び係止することを可能とする手段であって、（ｇ２）対になる２つの部品から構成されてなる手段であり、（ｇ３）前記対になる２つの部品が係合可能な形状及び／又は性質を有し且つ係合した際に十分な係止力が発生する形状及び／又は性質を有する部品である、係合及び係止手段と、及び、
（Ｈ）外部物品との固定用連結手段と、
を備えてなり、；
前記（Ｅ）に記載の装飾体保持孔が、前記（Ｇ）に記載の係合及び係止することを可能とする手段を構成する部品のうちの前記（Ｅ）に記載の部材に備えられた部品と、前記（Ｅ）に記載の部材及び前記（Ｆ）に記載の部材との連続した部分の境界と、の間に挟まれた位置に形成されたものである、；
ことを特徴とする、軸付きバッジ型装飾体用の携帯型保持具。